(57)【特許請求の範囲】
【請求項１】
導電媒体の運動を閉路に沿った所定方向に配置させることにより電気エネルギを生成するとともに、前記生成された電気エネルギーを電磁巻き線で回収して電気エネルギを生成するための方法であって、
少なくとも起動段階においてイオン化される媒体として有極性液体が使用され、
前記有極性液体は、電磁励起巻線による移動磁界によって循環され、このとき、
前記媒体の運動は、前記有極性液体よりも高い誘電率を有する密封水路の内壁の内部で行われている、発電方法。
【請求項２】
請求項１記載の発電方法であって、
前記有極性液体は、高圧放電によってイオン化される、発電方法。
【請求項３】
請求項１記載の発電方法であって、
前記有極性液体は、前記有極性液体を有する前記密封水路の中で回転する反磁性体の円盤によってイオン化される、発電方法。
【請求項４】
請求項１記載の発電方法であって、
前記有極性液体の運動は、有極性液体で満たされた前記密封水路に取り付けられ、かつ、電磁巻き線が設けられた密封チャンバによって安定化される、発電方法。
【請求項５】
請求項１記載の発電方法であって、
前記有極性液体として水が使用される、発電方法。
【請求項６】
請求項５記載の発電方法であって、
前記有極性液体は、重水を添加することによって予め活性化されている、発電方法。
【請求項７】
内部に誘電体カバーと巻線付きの電磁システムとが設けられ、非磁性材料で製造された筐体を有するドーナツ形の水路を備えるＭＨＤ発電機であって、
前記密封水路は、密封され、かつ、有極性液体で満たされており、
前記カバーは、前記有極性液体より高い誘電率を有する、発電機。
【請求項８】
請求項７記載のＭＨＤ発電機であって、
前記有極性液体として水が使用される、発電機。
【請求項９】
請求項７記載のＭＨＤ発電機であって、さらに、
密封安定化チャンバを備え、
前記密封安定化チャンバは、前記密封安定化チャンバの外側に設けられた前記密封水路に対して、前記密封水路のドーナツ形状の内側の部分で結合されている、発電機。
【請求項１０】
請求項７記載のＭＨＤ発電機であって、さらに、
液体電離デバイスを備える、発電機。
【請求項１１】
請求項７記載のＭＨＤ発電機であって、
前記巻き線付きの電磁システムは、動力巻き線と励磁巻き線と備える、発電機。
【請求項１２】
請求項７記載のＭＨＤ発電機であって、
前記カバーとして強誘電体が使用される、発電機。
【請求項１３】
請求項８記載のＭＨＤ発電機であって、
水は重水を含む、発電機。
【請求項１４】
請求項９記載のＭＨＤ発電機であって、
前記チャンバは円筒状に形成され、前記チャンバの軸は前記ドーナツ形の水路の中心軸と同一平面上にある、発電機。
【請求項１５】
請求項１０記載のＭＨＤ発電機であって、
前記液体電離デバイスは、前記密封水路の内部に設けられ、かつ、周期的な高圧電源に接続された電極の形態を有する、発電機。
【請求項１６】
請求項１０記載のＭＨＤ発電機であって、
前記液体電離デバイスは、前記密封水路の内部に設けられ、かつ、動作可能となるようにロータリアクチュエータに取り付けられた反磁性体の円盤の形態を有する、発電機。
【請求項１７】
請求項１１記載のＭＨＤ発電機であって、
前記励磁巻き線は、前記密封水路の内部に設けられている、発電機。
【発明の詳細な説明】
【０００１】
【発明の属する技術分野】
本発明は、発電技術に関し、特に、ＭＨＤ発電機によって電気エネルギを生成する技術に関する。
【０００２】
【従来の技術】
水の流れを閉路内において所定方向に整えることにより、熱エネルギに代表されるエネルギを生成する方法が従来技術として知られている（ＷＯ ９０／００５２６，１９９０）。この方法は、水素結合の切断の結果としてエネルギが放出されるという、水に固有な性質を利用したものである。また、熱とともに電気エネルギが放出されることも提示されている。しかしながら、この方法では、使用に適した電気エネルギを生成することができない。水だけでなく任意の有極性液体を使用した類似の方法（ＲＵ ２１２４６８１，１９９９）では、常温核融合反応およびキャビテーションプロセスによって、上記液体からさらに多くのエネルギを放出させることを可能にした。また、この方法は、電気エネルギの生成を意図していない。
【０００３】
また、強磁性スフェロイド（回転楕円面）の運動を閉水路内の所定方向に配置することにより電気エネルギを生成するとともに、電磁誘導の結果として生成された電圧を電磁巻き線によって回収するデバイスおよび方法（ＳＵ ７５３３７２，１９８０、ＵＳ ３４９６７８１，１９６７）も従来技術として知られている。この方法を実現するデバイスは、導電媒体としての強磁性のスフェロイドと、巻き線付きの電磁システムと、を有する密封されたドーナツ形の水路を備える。このデバイスおよび方法が非効率的である要因として、複雑で且つ低信頼性であることが挙げられる。
【０００４】
最近の類似技術としては、導電媒体の運動を閉路に沿った所定方向に配置させることにより電気エネルギを生成するとともに、生成された電気エネルギーを電磁巻き線で回収して電気エネルギを生成するデバイスおよび方法（ＲＵ ２０７１１６３，１９９６、ＲＵ ９５１１０７１２，１９９７）が挙げられる。導電媒体としては、電離ガスが提示されている。この方法を実現するデバイスすなわちＭＨＤ発電機は、非磁性体の筐体を有する閉じたドーナツ形の水路を備え、その内部には、誘電体カバーと巻き線付きの磁気システムとが設けられている。この既知の方法およびデバイスが非効率的である要因として、複雑で且つ低信頼性であることが挙げられる。また、この既知の方法は、環境に対して安全とは言えない。
【０００５】
【発明の概要】
本発明によるパワーエンジニアリングは、効率アップ、信頼性および環境に対する安全性の向上、そしてＭＨＤ発電機の構造の単純化を目的とする。
【０００６】
上記目的は、以下の手段によって達成される。導電媒体の運動を閉路に沿った所定方向に配置させることにより電気エネルギを生成するとともに、生成された電気エネルギーを電磁巻き線で回収して電気エネルギを生成するための既知の方法において、新規性を有するのは、少なくとも起動段階においてイオン化される媒体として有極性液体が使用される点と、この有極性液体が電磁励起巻線による移動磁界によって循環される点と、このとき、上記媒体の運動は、有極性液体よりも高い誘電率を有する密封水路の内壁の内側の内部で行われている点の３点である。
【０００７】
上記液体は、高圧放電によってイオン化されても良いし、あるいは、上記液体を含んだ水路の内部で回転する反磁性体の円盤によってイオン化されても良い。
【０００８】
液体の運動は、有極性液体で満たされた密封チャンバの助けによって安定化させて良い。このチャンバは、電磁巻き線を有し、かつ、上記水路に取り付けられている。
【０００９】
上記液体として水を使用する場合は、重水（二重水素や三重水素）を加えることによって予め活性化させるようにしても良い。
【００１０】
非磁性体の筐体を有する閉じたドーナツ形の水路を備え、その内部に誘電体カバーと巻き線付きの電磁システムとが設けられたＭＨＤ発電機である上記既知のデバイスにおいて、新規性を有するのは、水路が密封されており、かつ、有極性液体で満たされる点と、カバーが上記液体よりも高誘電率を有する点の２点である。
【００１１】
上記液体としては、重水（二重水素や三重水素）を含む水を使用するようにしても良い。
【００１２】
ＭＨＤ発電機は、密封された安定化チャンバを有するようにしても良い。このチャンバは、チャンバ自身の外側に設けられた水路に対して、ドーナツ形状の内側部分で結合されている。このため、チャンバを円筒状に形成し、その軸をドーナツ形の水路の中心軸と同一平面上に配置するようにしても良い。
【００１３】
ＭＨＤ発電機は、液体電離デバイスを備えるようにしても良い。このデバイスは、水路の内部に設けられ、かつ、周期的な高圧電源に取り付けられた電極として形成されても良いし、あるいは、水路の内部に設けられ、動作可能となるようにロータリアクチュエータに取り付けられた反磁性の円盤として構成されるようにしても良い。
【００１４】
電磁システムは、水路の内部に設けられた動力巻き線および励磁巻き線を備えるようにしても良い。
【００１５】
水路の壁のカバーとしては、強誘電体を使用して良い。
【００１６】
【発明の実施の形態】
Gritskevichの発電機を例にとって本発明を説明する。磁気流体発電機は、密封された中空ドーナツ形状のメタルセラミックスの筐体１を有している。この筐体の内表面は誘電体層２によって覆われている。この筐体の空洞は、重水を添加された蒸留水３によって満たされている。筐体１の水路内には、コンデンサバンクに接続された超硬合金の電極４と、電源に接続された励磁巻き線５とが設けられている。筐体１のリング内には、メタルセラミックスの筐体１の水路と通じている円筒状の安定化チャンバ６が組み立てられている。また、チャンバ６の内表面は、誘電体層７で覆われており、その空洞は、重水を添加された蒸留水８によって満たされている。筐体１およびチャンバ６は、それぞれ動力巻き線９、１０を外側に備える。
【００１７】
磁気流体発電機は、次のように作動する。先ず、電極４による高圧放電によって、不完全電離水３（重水によってイオン化されている）がさらにイオン化される。巻き線６によって移動磁界が発生すると、筐体の水路１内における水３の運動が一方向に配置される。電磁誘導によって巻き線９において起電力が生じる。水が流れる結果、自由電子が現れるとともに、層２に対する水３の摩擦と、空洞・真空構造の静電破壊と、常温核融合反応の存在と、によってエネルギがさらに放出される。このとき、巻き線９において生成される電気エネルギの量は、電極４および巻き線５による水のイオン化と加速に使用されるエネルギの量より大きい。この点においては、（入力エネルギに対して）超過した分のエネルギは、時間の経過とともに交換するべきである水３および内層２から放出されるので、ここで提示されるデバイスおよび方法が、エネルギ保存の法則と矛盾することはない。流体３の運動は、流体内における放電とチャンバ６内における放電との相互作用によって安定化される。このとき、巻き線１０からも電気エネルギが回収される。
【図面の簡単な説明】
【図１】  ＭＨＤ発電機の全体図である。
【図２】  ＭＨＤ発電機の縦断面図である。
【符号の説明】
１…ドーナツ形の筐体
２…誘電体層
３…蒸留水
４…電極
５…励磁巻き線
６…安定化チャンバ
７…誘電体層
８…蒸留水
９、１０…動力巻き線
【図１】
0004405703.tif 000002
【図２】
0004405703.tif 000003